(57)【要約】  【課題】  逆火防止器が逆火作動していることを外部から容易に視認することができるうえ、水素ガスのように爆発的燃焼の後に減圧状態となるガスに対しても、確実に遮断弁が作動することのできる逆火防止器を提供する。  【解決手段】  ケース本体(５)に形成した逆火防止室(１)内に内嵌固定した遮断弁ホルダー(11)とケース本体(５)の奥端壁(14)との間に消炎筒(２)を配置する。消炎筒(２)の内側に遮断弁室(12)を形成し、遮断弁ホルダー(11)の内部でのガス導出ノズル(10)側に逆止弁室(13)を形成する。遮断弁ホルダー(11)にスプール弁で構成した遮断弁体(４)を進退移動可能に内嵌する。遮断弁体(４)の端部に形成した逆止弁座(16)に逆止弁体(３)を弾圧当接させる。遮断弁体(４)の脚部先端が作動時にケース本体(５)から外部に突出するように遮断弁体(４)の脚部(18)をケース本体(５)に摺動可能に装着する。遮断弁体(４)の脚部(18)の周面に当接するボール(22)をケース本体(５)に当接圧力変更可能に装着するとともに、遮断弁体(４)の脚部(18)に作動時に前記ボール(22)が嵌込む凹部(23)を形成した。【選択図】    図１
2005240840.tif 000002
【特許請求の範囲】
【請求項１】
気密構造に形成した逆火防止室(１)内に消炎筒(２)、逆止弁体(３)及び遮断弁体(４)を組み込み、ケース本体(５)の一端壁(６)と周側壁(７)のいずれか一方にガス導入口(８)を形成するとともに、他方にガス導出口(９)を形成した乾式逆火防止器において、
一端壁(６)を開放状に形成したケース本体(５)の開口部にガス導出ノズル(10)を内嵌固定してケース本体(５)内に逆火防止室(１)を形成し、
逆火防止室(１)内に遮断弁ホルダー(11)を内嵌固定し、この遮断弁ホルダー(11)とケース本体(５)の奥端壁(14)での内面との間に消炎筒(２)を配置し、
ガス導出ノズル(10)にガス導出口(９)を形成するとともに、消炎筒(２)の配設位置に対応するケース本体(５)の周側壁(７)にガス導入口(８)を形成し、
消炎筒(２)の内側に遮断弁室(12)を形成し、遮断弁ホルダー(11)の内部でのガス導出ノズル(10)側に逆止弁室(13)を形成し、
遮断弁ホルダー(11)にスプール弁で構成した遮断弁体(４)を進退移動可能に内嵌するとともに、遮断弁室(12)内の遮断弁ホルダー(11)とケース本体(５)の奥端壁(14)との間に形成したガス連通路(15)を遮断弁体(４)で閉塞可能に構成し、
遮断弁体(４)の逆止弁室(13)側での端部に逆止弁座(16)を形成して逆止弁室(13)に装着した逆止弁体(３)をガス導出ノズル(10)との間に架設した逆止弁バネ(17)で逆止弁座(16)に向けて弾圧付勢し、
遮断弁体(４)の奥端側に位置する脚部(18)をケース本体(５)の奥端壁(14)に形成した脚部摺動孔(19)に摺動可能に装着して、この遮断弁体(４)の脚部先端をその作動時にケース本体(５)から外部に突出可能に構成し、
ケース本体(５)の脚部摺動孔(19)を形成している肉壁部分に、遮断弁体(４)の脚部(18)での周面に当接するボール(22)を当接圧力変更可能に装着するとともに、遮断弁体(４)の脚部(18)に遮断弁の作動時に前記ボール(22)が嵌まり込む凹部(23)を形成したことを特徴とする乾式逆火防止器。
【請求項２】
遮断弁体(４)の脚部(18)に形成した凹部(23)が環状溝に形成してある請求項１に記載の乾式逆火防止器。
【発明の詳細な説明】
【技術分野】
【０００１】
本発明は、可燃性ガスを供給する装置または、配管類の供給路に介在させて、逆流時に支燃性ガスが混入するのを阻止し、逆火時には可燃性ガスの逆火伝播を阻止するとともに、可燃性ガスの供給を遮断する機能を有する乾式逆火防止器に関し、特に可燃性ガスを水素ガスとした場合の逆火防止器に関するものである。
【背景技術】
【０００２】
従来、可燃性ガスの逆火伝播を阻止するとともに、可燃性ガスの供給を遮断する逆火防止装置として、例えば実公平５−３９２８０号公報に示されたものがある。
これは、図３に示すように、気密構造に形成した逆火防止室(51)内に消炎筒(52)、逆止弁体(53)及び遮断弁体(54)を組み込み、一端壁(56)を開放状に形成したケース本体(55)の開口部にガス導出ノズル(60)を内嵌固定してケース本体(55)内に逆火防止室(51)を形成し、この逆火防止室(51)内に遮断弁ホルダー(61)を内嵌固定し、この遮断弁ホルダー(61)とケース本体(55)の奥端壁(64)内面との間に消炎筒(52)を配置し、ガス導出ノズル(60)にガス導出口(59)を形成するとともに、消炎筒(52)の配設位置に対応するケース本体(55)の周側壁(57)にガス導入口(58)を形成し、消炎筒(52)の内側に遮断弁室(62)を形成し、遮断弁ホルダー(61)の内部のガス導出ノズル(60)側に逆止弁室(63)を形成し、遮断弁ホルダー(61)にスプール弁で構成した遮断弁体(54)を進退移動可能に内嵌するとともに、遮断弁室(62)内の遮断弁ホルダー(61)とケース本体(55)の奥端壁(64)との間に形成したガス連通路(65)を遮断弁体(54)で閉塞可能に構成し、遮断弁体(54)の逆止弁室(63)側での端部に逆止弁座(66)を形成して逆止弁室(63)に装着した逆止弁体(53)をガス導出ノズル(60)との間に架設した逆止弁バネ(67)で逆止弁座(66)に向けて弾圧付勢し、ケース本体(55)の奥端壁(64)にリセツト杆(68)を遮断弁体(54)に対向する状態で摺動可能に装着し、このリセツト杆(68)をケース本体(55)の奥端壁(64)との間に架設したリセツトバネ(69)で遮断弁体(54)から離隔する方向に弾圧付勢した構成になっていた。
【特許文献１】実公平５−３９２８０号公報
【発明の開示】
【発明が解決しようとする課題】
【０００３】
上述の乾式逆火器では、順流時には、そのガス圧で逆止弁体を逆止弁バネに抗して開弁させ、逆火時にはその逆火時の圧力で逆止弁体を閉弁作動させるとともに、逆止弁体に作用している逆火時の圧力と逆止弁バネ力の合力で遮断弁体を閉弁作動させるようにしている。このとき、リセット杆は遮断弁体と当接することがないことから、作動状態を外部から視認することができないという問題があった。
【０００４】
また、水素ガスの供給ラインに装着した場合、水素ガスは、爆発的燃焼のあと、爆発前の圧力が小さいときに負圧になることから、作動状態での遮断弁保持機構のない前述の乾式逆火器では、逆火後の圧力現象で逆止弁・遮断弁ともに自動復帰してしまうことがあった。
【０００５】
本発明は、このような点に着目して、逆火防止器が逆火を感知して作動していることを外部から容易に視認することができるうえ、水素ガスのように爆発的燃焼の後に減圧状態となるガスに対しても、確実に逆火防止作動することのできる逆火防止器を提供することを目的とする。
【課題を解決するための手段】
【０００６】
上述の目的を達成するために本発明は、乾式逆火防止器において、一端壁を開放状に形成したケース本体の開口部にガス導出ノズルを内嵌固定してケース本体内に逆火防止室を形成し、逆火防止室内に遮断弁ホルダーを内嵌固定し、この遮断弁ホルダーとケース本体の奥端壁での内面との間に消炎筒を配置し、ガス導出ノズルにガス導出口を形成するとともに、消炎筒の配設位置に対応するケース本体の周側壁にガス導入口を形成し、消炎筒の内側に遮断弁室を形成し、遮断弁ホルダーの内部でのガス導出ノズル側に逆止弁室を形成し、遮断弁ホルダーにスプール弁で構成した遮断弁体を進退移動可能に内嵌するとともに、遮断弁室内の遮断弁ホルダーとケース本体の奥端壁との間に形成したガス連通路を遮断弁体で閉塞可能に構成し、遮断弁体の逆止弁室側での端部に逆止弁座を形成して逆止弁室に装着した逆止弁体をガス導出ノズルとの間に架設した逆止弁バネで逆止弁座に向けて弾圧付勢し、遮断弁体の奥端側に位置する脚部をケース本体の奥端壁に形成した脚部摺動孔に摺動可能に装着して、この遮断弁体の脚部先端をその作動時にケース本体から外部に突出可能に構成し、ケース本体の脚部摺動孔を形成している肉壁部分に、遮断弁体の脚部周面に当接するボールを当接圧力変更可能に装着するとともに、遮断弁体の脚部に遮断弁の作動時に前記ボールが嵌まり込む凹部を形成したことを特徴としている。
【発明の効果】
【０００７】
上記のように構成されている本発明では、順流ガス圧は逆止弁バネに抗して逆止弁体を開弁作動させ、逆火圧は逆止弁バネのバネ圧との合力により逆止弁体及び遮断弁体を閉弁作動させるものであることから、順流時および逆火時ともに逆火防止器の作動に関与するバネが逆止弁バネだけであるため、逆止弁バネの精度を高めるだけで逆火防止器を精度良く作動させることができる。
【０００８】
順流ガス圧は遮断弁体を閉弁側に作動させる作用が全く無いので、付勢バネのバネ圧を変更するだけで低圧から高圧までの広範囲にわたる圧力の異なるガスに対して使用することができる。
【０００９】
逆火時に、ガス導出口から伝播する逆火圧が消炎筒を透過することなく直接逆止弁に作用することから、逆火圧は弱められることなく逆火防止室に作用するので、逆火が生じると直ちに逆止弁が作動するとともに遮断弁体を閉弁作動させることができる。
【００１０】
遮断弁体の脚部周面に当接圧力調整可能に構成したボールを当接させていることから、遮断弁体の作動圧力を調整することができる。
【００１１】
さらに、遮断弁体の脚部に、遮断弁が閉弁作動した際に前述のボールが嵌まり込む凹部を形成してあるので、閉弁作動後には遮断弁体を該脚部がケース本体から突出した状態の閉弁位置で保持することになり、逆火が発生したことを外部から容易に視認することができるうえ、仮に、逆火発生に伴いガス使用側が減圧状態になっても、遮断弁を閉弁位置に保持することになるから、自動復帰することに起因して生じる不都合をなくすことができる。
【発明を実施するための最良の形態】
【００１２】
この逆火防止器はケース本体(５)の一端壁(６)を開放状に形成し、ケース本体(５)内にガス導出ノズル(10)を内嵌してケース本体(５)内に逆火防止室(１)を形成してある。逆火防止室(１)内には遮断弁ホルダー(11)を内嵌し、この遮断弁ホルダー(11)とケース本体(５)の奥端壁(14)の内面との間に焼結金属等の多孔性物質からなる消炎筒(２)を配置し、ケース本体(５)の開口端部をノズル押え具(20)で固定して消炎筒(２)、遮断弁ホルダー(11)及び導出ノズル(10)を位置固定している。
【００１３】
ガス導出ノズル(10)にはガス導出口(９)が透設してあり、ケース本体(５)の周側壁(７)における消炎筒(２)の配設位置と対応する部分にガス導入口(８)が透設してある。
【００１４】
消炎筒(２)の内側には遮断弁室(12)を形成し、遮断弁室(12)内にケース本体(５)の奥端壁(14)の一部を円筒状に突出させて遮断弁ホルダー(11)との間にガス連通路(15)を形成している。
遮断弁ホルダー(11)にはスプール弁で構成した遮断弁体(４)を進退移動可能に内嵌して、この遮断弁体(４)の進退移動により上記ガス連通路(15)を閉塞可能に構成してある。
遮断弁ホルダー(11)内のガス導出ノズル(10)側には逆止弁室(13)が形成されており、遮断弁ホルダー(11)に内嵌した遮断弁体(４)の中央にガス流通路を形成して遮断弁室(12)と逆止弁室(13)とを連通している。
【００１５】
遮断弁体(４)内の上記ガス流通路は逆止弁室(13)側端部を先広がりの円錐内面に形成し、この円錐内面に逆止弁座(16)を形成している。
逆止弁室(13)に装着した逆止弁体(３)はガス導出ノズル(10)との間に架設した逆止弁バネ(17)で上記逆止弁座(16)に向けて弾圧付勢してある。
【００１６】
ケース本体(５)の奥端壁(14)には遮断弁体(４)の脚部(18)を摺動支持する摺動孔(19)が透設してあり、この脚部摺動孔(19)に遮断弁体(４)の脚部(18)を進退摺動可能に挿嵌し遮断弁体(４)の脚部端面は、遮断弁体(４)が開弁姿勢にある状態で、ケース本体(５)の端面と面一に形成してある。そして、この遮断弁体(４)の脚部(18)の周面に作動圧調整機構(21)を構成するボール(22)を当接させるとともに、遮断弁体(４)が作動位置(遮断位置)にある状態で前記作動圧調整機構(21)のボール(22)を受け入れる凹部(23)が遮断弁体(４)の脚部(18)の周面に環状溝として形成してある。
【００１７】
この作動圧調整機構(21)は、ケース本体(５)の奥端壁(14)部分に外周面から摺動孔(19)の内周面に達する状態に透設したバネ装着孔(24)に前述のボール(22)と付勢バネ(25)とを収容し、このバネ装着孔(24)のケース本体外周面での開口部に、バネ圧調整ねじ(26)を螺合し、このバネ圧調整ねじ(26)の締込み状態によって、ボール(22)の遮断弁体(４)の脚部周面への当接圧を調整するようにしてある。
【００１８】
上述の構成からなる乾式逆火防止器では、図１に示す通常の状態では、遮断弁体(４)がガス通路(15)を開弁しており、ガス導入口(８)から流入した順流ガスは消炎筒(２)を透過して遮断弁室(12)に流入し、遮断弁体(４)内のガス流通路を通過して逆止弁室(13)内に流入し、逆止弁体(３)を押圧してこれを開弁させ、逆止弁室(13)からガス導出口(９)を経て流出する。このとき、順流ガスは円滑に流通していることから、遮断弁体(４)に作用するガス圧は小さく、遮断弁体(４)の脚部(18)に作用している作動圧調整機構(21)の当接圧が抵抗となって、開弁している遮断弁体(４)を移動させることがないので、これを閉弁作動させる作用が全くない。
【００１９】
そして、逆火が発生すると、図２に示すように、逆火の爆発圧力により可燃性ガスがガス導出ロ(９)から逆止弁室(13)内に流入し、逆止弁体(３)に直接作用して逆止弁バネ(17)の弾圧力とともに逆止弁体(３)を逆止弁座(16)側に押圧して閉弁させる。さらにこの逆火時に遮断弁体(４)に作用する逆火圧は、作動圧調整機構(21)の当接圧よりも大幅に大きな圧力であることから、遮断弁体(４)をケース本体奥端壁(14)方向に瞬間的に移動させて遮断弁体(４)がガス通路(15)を閉弁することになる。そして、その閉弁作動による遮断弁体(４)の移動により、作動圧調整機構(21)のボール(22)が遮断弁体(４)の脚部に形成した凹部(23)に嵌まり込んで遮断弁体(４)を閉弁位置に保持することになる。
【００２０】
遮断弁体(４)の閉弁作動により、ガス連通路(15)が遮断され、逆火伝播を阻止するとともに可燃性ガスの供給を遮断することになるが、このとき、作動圧調整機構(21)は、ボール(22)が遮断弁体(４)の脚部(18)に当接して転動することから、この作動圧調整機構(21)は遮断弁体(４)の閉弁作動に対しては大きな作動抵抗とならない。
【００２１】
そして、一旦逆火が発生した際には、前述のように遮断弁体(４)を閉弁作動位置に保持するようにしていることから、逆火がおさまった後に、ガス消費側での圧力が減圧しても遮断弁体(４)は作動位置を保持することになるから、遮断弁体(４)が自動復帰することがない。したがって、作業者等が、逆火原因の対策をとった後、手動で遮断弁体(４)をケース本体(５)に押し込むことにより、復帰させることになる。したがって、水素ガスなどのように逆火発生の結果、ガス圧が減圧するようなガスのガス供給系に装着しても、確実に逆火防止作動し、また、逆火防止器が逆火を感知して作動していることを外部から容易に視認することができることになる。
【産業上の利用可能性】
【００２２】
水素ガスなど、燃焼により、ガス圧が低下する燃焼ガスをはじめ、各種の燃焼ガスの供給系に使用することができる。
【図面の簡単な説明】
【００２３】
【図１】順流時での縦断側面図である。
【図２】逆流時での縦断側面図である。
【図３】従来技術を示す第１図相当図である。
【符号の説明】
【００２４】
１…逆火防止室、２…消炎筒、３…逆止弁体、４…遮断弁体、５…ケース本体、６…ケース本体の一端壁、７…ケース本体の周側壁、８…ガス導入口、９…ガス導出口、10…ガス導出ノズル、11…遮断弁ホルダー、12…遮断弁室、13…逆止弁室、14…ケース本体の奥端壁、15…ガス連通路、16…逆止弁座、17…逆止弁バネ、18…遮断弁体の脚部、19…脚部摺動孔、20…ノズル押え具、21…作動圧調整機構、22…ボール、23…凹部、24…バネ装着孔、25…付勢バネ、26…バネ圧調整ねじ。
【図１】
2005240840.tif 000003
【図２】
2005240840.tif 000004
【図３】
2005240840.tif 000005